【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
少なくとも導電性短繊維と非導電性短繊維とを含む不織布と樹脂で構成される複合材料からなる電波吸収体の製造方法において、成形型内に、少なくとも前記不織布と、該不織布のいずれかの片面側に設けられるように導電性繊維布帛または非導電性繊維布帛を配置し、樹脂容器と連通させ、前記成形型内と前記容器内の間に圧力差を生じせしめ、その差圧により、前記成形型内に樹脂を注入すると同時に前記不織布に樹脂を含浸し、硬化させることすることで、前記不織布と前記導電性繊維布帛または前記非導電性繊維布帛を一体化することを特徴とする電波吸収体の製造方法。
【請求項２】
前記型内で前記不織布の第１の面側に前記導電性繊維布帛を、第２の面側に前記非導電性繊維布帛を、配置し、樹脂を注入・硬化することで、前記不織布と前記導電性繊維布帛および前記非導電性繊維布帛を一体化する、請求項１に記載の電波吸収体の製造方法。
【請求項３】
成型下型とバッグ材で構成される成形型を用い、前記成形型の内部を減圧することで大気圧の樹脂容器との間に差圧を生じさせる、請求項１または２に記載の電波吸収体の製造方法。
【請求項４】
前記導電性繊維布帛が炭素繊維布帛である、請求項１〜３のいずれかに記載の電波吸収体の製造方法。
【請求項５】
少なくとも導電性短繊維と非導電性短繊維とを含む不織布と樹脂で構成される電波吸収層と、導電性繊維布帛と樹脂で構成される電波反射層とを有する電波吸収体であって、電波反射層と電波吸収層が同一組成の樹脂で一体的に構成されていることを特徴とする電波吸収体。
【請求項６】
前記導電性短繊維と非導電性短繊維とを含む不織布と樹脂で構成される電波吸収層と、前記電波吸収層の第１の面側に非導電性繊維布帛と樹脂で構成されるインピーダンス整合層と、第２の面側に導電性繊維布帛と樹脂で構成される電波反射層とを有する電波吸収体であって、前記インピーダンス整合層と前記電波反射層と前記電波吸収層の３つの層が同一組成の樹脂で一体的に構成されている、請求項５に記載の電波吸収体。
【請求項７】
前記電波反射層が炭素繊維強化プラスチックである、請求項５または６に記載の電波吸収体。
【請求項８】
請求項１〜４に記載のいずれかの方法で製造された、または、請求項５〜７のいずれかに記載の電波吸収体であって、周波数２〜２０ＧＨｚの帯域において、少なくとも幅１ＧＨｚの、１０ｄＢ以上の反射損失を示す帯域を有する電波吸収体。
【手続補正２】
【補正対象書類名】明細書
【補正対象項目名】００１０
【補正方法】変更
【補正の内容】
【００１０】
上記課題を達成するために、本発明は以下の各手段をとる。すなわち、本発明は、少なくとも導電性短繊維と非導電性短繊維とを含む不織布と樹脂で構成される電波吸収層と、導電性繊維布帛と樹脂で構成される電波反射層とを有する電波吸収体であって、電波反射層と電波吸収層が同一組成の樹脂で一体的に構成されていることを特徴とする電波吸収体である。
そして、かかる電波吸収体は、成形型内に、少なくとも前記不織布と、該不織布のいずれかの片面側に設けられるように導電性繊維布帛または非導電性繊維布帛を配置し、樹脂容器と連通させ、前記成形型内と前記容器内の間に圧力差を生じせしめ、その差圧により、前記成形型内に樹脂を注入すると同時に前記不織布に樹脂を含浸し、硬化させることすることで、前記不織布と前記導電性繊維布帛または前記非導電性繊維布帛とを一体化することにより得られる。
【手続補正３】
【補正対象書類名】明細書
【補正対象項目名】００１３
【補正方法】変更
【補正の内容】
【００１３】
図１は、本発明の一実施態様に係る電波吸収体１の断面図を示している。図１に示すように、本発明は、導電性短繊維および非導電性短繊維を含む不織布と樹脂の複合材料からなる電波吸収層１２を含む電波吸収体１、およびその製造方法に関する。本実施態様では、電波吸収層１２と、この電波吸収層１２の第１の面に設けたインピーダンス整合層１１、電波吸収層１２の第２の面に設けた電波反射層１３を有する構成を示しているが、インピーダンス整合層１１は無くても良い。インピーダンス整合層１１の材料は、到来電波を反射させにくい材料であれば特に限定はしないが、電波吸収層１２と一体化する点から、少なくとも非導電性繊維布帛と樹脂で構成される複合材料からなることが好ましい。また、電波反射層１３の材料は特に限定されるものでは無いが、電波吸収層１２と一体化する点から、少なくとも導電性繊維布帛と樹脂で構成される複合材料からなることが好ましい。
【手続補正４】
【補正対象書類名】明細書
【補正対象項目名】００２３
【補正方法】変更
【補正の内容】
【００２３】
本発明では、前記積層体２において、不織布２２のいずれか片面側に導電性繊維布帛２３が含まれ、前記不織布２２と一体的に樹脂を注入・硬化すると良い。こうすることで、導電性繊維布帛２３と樹脂の複合材料は電波反射層１３を形成することができ、電波吸収層１２と電波反射層１３を同一組成の樹脂で一体化することができる。従来技術における電波吸収層１２と電波反射層１３の接合は、各層を別々に製造した後に、ボルトなどの機械的接合、接着剤などによる２次接着が一般的であった。本発明にかかる製造方法を用いれば、不織布２２と導電性繊維布帛２３を積層して樹脂を注入・硬化させることで、電波吸収層１２および電波反射層１３の形成と接合が１度のプロセスでできるため、接合にかかる材料・作業時間を減少させることができることから、コストが削減できる上、接合にかかる重量を減少させることができる。また、従来の技術における接合は、両層の接合強度、特に耐久性の点で問題があったが、本発明の製造方法によれば、電波吸収層１２と電波反射層１３は同一組成の樹脂で化学的に一体化されるため、接合強度が問題となることはない。
【手続補正５】
【補正対象書類名】明細書
【補正対象項目名】００２５
【補正方法】変更
【補正の内容】
【００２５】
また、前記積層体２において、不織布２２の第１の面側に非導電性繊維布帛が含まれ、前記不織布２２と一体的に注入・硬化することもできる。非導電性繊維布帛２１はインピーダンス整合層１１を形成し、電波吸収層１２とインピーダンス整合層１１を同一組成の樹脂で一体化することが可能となる。前記非導電性繊維布帛２１はガラス繊維、芳香族ポリアミド繊維、ポリフェニレンサルファイド繊維、ポリ乳酸繊維から選ばれる少なくとも１種の繊維布帛が含まれていることが好ましい。特に、ガラス繊維や芳香族ポリアミド繊維を使用することが、同一の樹脂で形成することにより、電波吸収層１２及び電波反射層１３を高強度、高剛性化することが可能となる点から好ましい。繊維の形態は、短繊維であっても長繊維であってもよく、また、織物、編物、不織布等の布帛形態であってもよい。また、不織布２２の第２の面側に前記導電性繊維布帛２３が含まれていても良く、電波吸収層１２、電波反射層１３、インピーダンス整合層１１の３層に同時に樹脂を注入・硬化させることもできる。
【手続補正６】
【補正対象書類名】明細書
【補正対象項目名】００３８
【補正方法】変更
【補正の内容】
【００３８】
一方、目付４６０ｇ／ｍ２の芳香族ポリアミド繊維織物５ｐｌｙの積層体２を、前記と同じ方法でビニルエステル樹脂を注入・硬化させて、インピーダンス整合層１１（厚み２．８ｍｍ）を得た。
【手続補正７】
【補正対象書類名】明細書
【補正対象項目名】００４３
【補正方法】変更
【補正の内容】
【００４３】
【図１】本発明の一実施形態に係る電波吸収体の概略側面図である。
【図２】本発明に係る電波吸収体の製造方法の一実施態様の断面図である。
【図３】本発明の一実施形態に係る積層体の概略側面図である。
【図４】実施例１に係る電波吸収体の反射損失を示すグラフである。